(57)【要約】【課題】ユーザが担当時間内に行うべき作業を事前に予見し、自身の勤務スケジュールに合わせて効率的に作業を計画し、漏れなく実施することができる自動分析装置を提供することにある。【解決手段】入力部１２０から、装置を使用するユーザの勤務スケジュールが入力される。計画部１１２は、装置を使用する上で必要となる作業イベントを予め計画する。スケジュール作成部１１３は、入力部から入力された勤務スケジュールと計画部で計画された作業イベントから、ユーザが担当時間内に行うべき作業の一覧として時系列な作業スケジュールを作成する。表示部１３０には、スケジュール作成部により作成された作業スケジュールが表示される。【選択図】図２
2014085270.tif 000002
【特許請求の範囲】
【請求項１】
装置を使用するユーザの勤務スケジュールを入力する入力部と、
前記装置を使用する上で必要となる作業イベントを予め計画する計画部と、
前記入力部から入力された前記勤務スケジュールと前記計画部で計画された前記作業イベントから、ユーザが担当時間内に行うべき作業の一覧として時系列な作業スケジュールを作成するスケジュール作成部と、
該スケジュール作成部により作成された前記作業スケジュールを表示する表示部とを備えることを特徴とする自動分析装置。
【請求項２】
請求項１記載の自動分析装置において、
前記作業スケジュール上の作業イベントに対してユーザが任意の実施予定時刻を設定する予約部と、
該予約部により予約した時刻に到達するとユーザに作業を促す第１の通知部とを備えることを特徴とする自動分析装置。
【請求項３】
請求項１記載の自動分析装置において、
前記計画部が計画の対象とする作業イベントが、
測定で使用する試薬の管理に伴う作業と、
キャリブレーションおよび精度管理測定に伴う作業と、
メンテナンスに伴う作業であることを特徴とする自動分析装置。
【請求項４】
請求項１記載の自動分析装置において、
前記表示部には、ユーザがシステムにログイン、またはログアウトする際に、当該ユーザの当該時間帯の作業スケジュールを自動的に表示されることを特徴とする自動分析装置。
【請求項５】
請求項１記載の自動分析装置において、
装置上で行った作業を認識し、作業スケジュールに表示された作業イベントが実施済か否かを自動的に判別する判別部とを備え、
前記表示部には、作業スケジュール上に作業実施の有無が表示されることを特徴とする自動分析装置。
【請求項６】
請求項５記載の自動分析装置において、
担当時間終了の設定時間前に到達すると未実施の作業イベントに関してユーザに作業を促す第２の通知部を備えることを特徴とする自動分析装置。
【請求項７】
請求項５記載の自動分析装置において、
前記スケジュール作成部は、担当時間内に実施されなかった作業イベントを自動的に次の担当者の作業スケジュールに繰り越すことを特徴とする自動分析装置。
【請求項８】
請求項２記載の自動分析装置において、
前記第１の通知部は、一定時間内に発生する複数の作業をユーザに纏めて作業するよう推奨するように通知することを特徴とする自動分析装置。
【請求項９】
請求項１記載の自動分析装置において、
オペレータの勤務スケジュールに関する情報を記憶した上位システムと接続し、
前記上位システムから前記勤務スケジュールに関する情報を取得することを特徴とする自動分析装置。
【請求項１０】
請求項１記載の自動分析装置において、
作成した前記作業スケジュールに関する情報を、上位システムへ送信することを特徴とする自動分析装置。
【発明の詳細な説明】
【技術分野】
【０００１】
本発明は、血液，尿等の生体試料の測定を行う自動分析装置に係り、特に、自動分析装置におけるユーザの作業スケジュールを効率的に計画、管理するためのユーザインタフェースを有する自動分析装置に関する。
【背景技術】
【０００２】
血液や尿等の生体試料と試薬を用いて分析する自動分析装置においては、分析開始時、もしくは分析処理中に各試薬に応じて定まる所定時間毎に、あるいは分析処理中の必要に応じて、検量線校正操作であるキャリブレーションや自動分析装置が良好な状態を保つための精度管理を行う必要がある。
【０００３】
キャリブレーションや精度管理を実施すべき要因としては、キャリブレーションや精度管理を一定の周期で実行させるための所定時間が経過した場合や、試薬のボトルを切り替えた後や、測定失敗時の再測定などがある。
【０００４】
キャリブレーションは、各項目に応じて定められた濃度の標準液を用いて行なわれる。キャリブレーションや精度管理には各分析項目に応じた有効期限がある。このため有効期限を過ぎると再キャリブレーションや再精度管理を行わなければならない。また各分析項目において、一つの試薬ボトルの試薬を使いきり、新しい試薬ボトルの試薬を使う場合にも再キャリブレーションや再精度管理を行わなければならない。
【０００５】
従来の自動分析装置では、前述の各試薬に応じて定まる所定時間や、有効期限、新しい試薬ボトルへの切り替え等を装置が自動的に検知し、ユーザにキャリブレーションや精度管理の実施が必要なことを通知するものが知られている（例えば、特許文献１参照）。
【先行技術文献】
【特許文献】
【０００６】
【特許文献１】特開２００６−５３１６４号公報
【発明の概要】
【発明が解決しようとする課題】
【０００７】
特許文献１記載の機能は、ある時点で即時にキャリブレーションや精度管理検体分析が必要かどうかを分析項目毎に示す有効な技術であるが、いずれの要因に対してもユーザが実施要否を知ることができるのはそれが間近に迫った時である。従来は、将来の一定期間に対し、キャリブレーションや精度管理の必要性を予測し、分析予定を立てる手段はなかった。このためユーザにとっては、キャリブレーション用の標準試料や、精度管理用のコントロール検体、及びこれらを分析するための試薬等の準備および分析を計画的に行うことが困難であった。
【０００８】
また、近年では装置の性能向上のため機器の高精密化、高感度化が進み、それに伴い装置を維持管理するためのメンテナンス機能が増加している。メンテナンス機能としては、例えば、自動分析装置に組み込まれた光度計の光源を所定時間毎に交換する必要があるというものである。このようなメンテナンス機能に関しても定期的な実行が必要であり、従来の自動分析装置も期限を管理する機能を有していた。しかし、前述のキャリブレーションや精度管理と同様にユーザが実施要否を知ることができるのはそれが間近に迫った時であり、メンテナンスを計画的に行うことが難しかった。
【０００９】
更に、自動分析装置を使用する検査室の多くは２４時間運用などで複数のユーザが勤務時間をシフトし交代して運用に当たっている。このため、各ユーザが担当時間内で発生する前述の作業イベントを漏れなく実施し次の担当ユーザに引き継ぐことが重要である。
【００１０】
しかし、従来の自動分析装置ではユーザの勤務スケジュールを入力する術は無く、装置はユーザの勤務スケジュールと連動せず五月雨的に通知するだけであり、効率的に作業を計画、実施できず作業漏れの原因となり、性能を保証する上で重大な問題となる可能性があった。
【００１１】
大規模な検査施設ではユーザが扱う装置が多いことや、同時に複数のユーザが作業することから、作業漏れが発生するなど、非効率な作業となるポテンシャルが更に高まる。
【００１２】
そこで、本発明の目的は、ユーザが担当時間内に行うべき作業を事前に予見し、自身の勤務スケジュールに合わせて効率的に作業を計画し、漏れなく実施することができる自動分析装置を提供することにある。
【課題を解決するための手段】
【００１３】
上記目的を達成するために、本発明は、装置を使用するユーザの勤務スケジュールを入力する入力部と、前記装置を使用する上で必要となる作業イベントを予め計画する計画部と、前記入力部から入力された前記勤務スケジュールと前記計画部で計画された前記作業イベントから、ユーザが担当時間内に行うべき作業の一覧として時系列な作業スケジュールを作成するスケジュール作成部と、該スケジュール作成部により作成された前記作業スケジュールを表示する表示部とを備えるようにしたものである。  
かかる構成により、ユーザが担当時間内に行うべき作業を事前に予見し、自身の勤務スケジュールに合わせて効率的に作業を計画し、漏れなく実施することができるものとなる。
【発明の効果】
【００１４】
本発明によれば、ユーザが担当時間内に行うべき作業を事前に予見し、自身の勤務スケジュールに合わせて効率的に作業を計画し、漏れなく実施することができるものとなる。
【図面の簡単な説明】
【００１５】
【図１】本発明の一実施形態による自動分析装置の全体構成を示すシステム構成図である。
【図２】本発明の一実施形態による自動分析装置に用いる操作部ＰＣの構成を示すブロック図である。
【図３】本発明の一実施形態による自動分析装置における作業スケジュール画面の一例の説明図である。
【図４】本発明の一実施形態による自動分析装置における業実施および予約後の作業スケジュール画面の一例の説明図である。
【図５】本発明の一実施形態による自動分析装置における作業スケジュール管理機能に関するデータの流れの説明図である。
【図６】本発明の一実施形態による自動分析装置における勤務スケジュール入力画面の一例の説明図である。
【図７】本発明の一実施形態による自動分析装置における作業スケジュール管理設定画面の一例の説明図である。
【図８】本発明の一実施形態による自動分析装置における作業スケジュール作成および管理処理の内容を示すフローチャートである。
【図９】本発明の一実施形態による自動分析装置における作業通知ダイアログ画面の一例の説明図である。
【発明を実施するための形態】
【００１６】
以下、図１〜図９を用いて、本発明の一実施形態による自動分析装置の構成及び動作について説明する。  
最初に、図１を用いて、本実施形態による自動分析装置の全体構成について説明する。  
図１は、本発明の一実施形態による自動分析装置の全体構成を示すシステム構成図である。
【００１７】
本実施形態の自動分析装置は、例えば、直列配置された３台の分析部ＡＡ１，ＡＡ２，ＡＡ３を備えている。なお、分析部の数は３個に限らず、複数若しくは単数でも良いものである。各分析部ＡＡ１，ＡＡ２，ＡＡ３に隣接して、試料ラックを搬送する搬送ラインＴＲＬが設けられている。また、直列配置された各分析部ＡＡ１，ＡＡ２，ＡＡ３の一方の端部側に、試料投入部ＳＡＩが設けられ、他方の端部に試料収納部ＳＡＯが設けられている。
【００１８】
ユーザＵＳＲは、キャリブレーション測定、精度管理試料測定、患者試料測定で対象となる試料ＳＭＰは試料ラックＳＭＬに搭載する。試料ラックＳＭＬには、複数個の試料が搭載可能である。試料を搭載した試料ラックＳＭＬは試料投入部ＳＡＩに設置される。設置された試料ラックＳＭＬは順に搬送ライン３０５に搬入され、試料に対する分析を行う分析部ＡＡ１，ＡＡ２，ＡＡ３に搬送される。分析部ＡＡ１，ＡＡ２，ＡＡ３は、それぞれ、試料ラックＳＭＬおよび試料ＳＭＰを認識し、試料ＳＭＰに必要な分析を行う。各分析部ＡＡ１，ＡＡ２，ＡＡ３は、分析を行うために使用する複数の試薬ＲＥＧを収納する試薬ディスクＲＥＤを備える。分析に必要な試薬ＲＥＧはユーザによって分析に先立ち前もって試薬ディスクＲＥＤに設置される。必要な分析が行われた試料ラックＳＭＬは試料収納部ＳＡＯに搬送される。
【００１９】
試料投入部ＳＡＩ，分析部ＡＡ１，ＡＡ２，ＡＡ３，試料収納部ＳＡＯは、それぞれネットワークケーブルでハブＨＢを介して自動分析装置の操作部ＰＣ１００に接続される。操作部ＰＣ１００は、ネットワークにて上位ホストシステムＵＳＹに接続される。
【００２０】
ユーザは、上位ホストシステムＵＳＹまたは操作部ＰＣ１００から各試料に対する分析依頼（測定依頼）を行い、分析する試料を試料ラックＳＭＬに搭載し、試料投入部ＳＡＩへ設置する。分析依頼された情報はネットワークを介して分析部ＡＡ１，ＡＡ２，ＡＡ３に送信され、分析部ＡＡ１，ＡＡ２，ＡＡ３にて分析した結果は操作部ＰＣ１００および上位ホストシステムＵＳＹへ送信される。
【００２１】
また、操作部ＰＣ１００は公衆回線を介してリモートシステムＲＳＹに接続される。リモートシステムＲＳＹには自動分析装置で使用する試薬を使用した分析条件情報である分析パラメータ等の情報を蓄積しており、操作部ＰＣ１００からの要求により分析パラメータの配信を行う。配信された分析パラメータは操作部ＰＣ１００に記憶され、試料の分析時に分析部ＡＡ１，ＡＡ２，ＡＡ３へ送信される。
【００２２】
本実施形態による作業スケジュール管理機能は、操作部ＰＣ１００に画面インタフェースを備えることが、システム構成および操作性の観点から最良な形態である。操作部ＰＣ１００または自動分析装置の上位システムである上位ホストシステムＵＳＹまたはリモートシステムＲＳＹにて入力された勤務スケジュール情報および操作部ＰＣ１００で管理している装置の作業イベント情報から、操作部ＰＣ１００は、担当者毎の作業スケジュール情報を作成する。
【００２３】
ユーザは、操作部ＰＣ１００に表示された作業スケジュール画面にて自身が行わなければならない作業を確認し、勤務スケジュール合わせて効率的な作業の計画を立てることができる。
【００２４】
また、ユーザの利用形態にあわせて上位システムである上位ホストシステムまたはリモートシステム上に作業スケジュール管理部を備え、ネットワークを経由して操作部ＰＣおよび分析部と情報を送受信し機能を実現しても良い。
【００２５】
次に、図２を用いて、本実施形態による自動分析装置に用いる操作部ＰＣ１００の構成について説明する。  
図２は、本発明の一実施形態による自動分析装置に用いる操作部ＰＣの構成を示すブロック図である。
【００２６】
操作部ＰＣ１００は、主として、制御部１１０と、入力部１２０と、表示部１３０と、記憶部１４０とから構成される。入力部１２０は、キーボードやマウスからなる。表示部１３０に表示されたボタンの表示を押し下げ（マウスでクリック）したり、表示部１３０に表示された入力枠にキーボードから数字や文字を入力したりすることができる。入力部１２０と表示部１３０とによって、ＧＵＩ（グラフィックユーザインターフェース）を構成している。
【００２７】
制御部１１０は、計画部１１２と、スケジュール作成部１１３と、通知部１１４と、予約部１１６と、判別部１１８とを備えているが、これらの機能や動作については、後述する。
【００２８】
記憶部１４０には、前述した勤務スケジュール情報や作業イベント情報が記憶される。計画部１１２は、これらの情報を用いて、作業スケジュールを計画する。
【００２９】
次に、図３を用いて、本実施形態による自動分析装置における作業スケジュール画面の一例について説明する。  
図３は、本発明の一実施形態による自動分析装置における作業スケジュール画面の一例の説明図である。
【００３０】
作業スケジュール画面３０１は、図２の表示部１３０に表示される。作業スケジュール画面３０１には、操作部ＰＣ１００にログインしたユーザが担当時間内に行わなければならない作業の一覧をタイムスケジュールとして表示する。
【００３１】
ログインユーザ３０２の欄には、現在ログインしているユーザの氏名を表示される。作業スケジュール画面３０１の初期表示はログインユーザの当該時間帯の作業スケジュールが中央に表示されるようにすることで、作業ユーザに最適な表示となる。
【００３２】
担当前後移動ボタン３０３は、ログインユーザより前の担当者、後の担当者の作業スケジュールを表示するためのボタンである。時間前後移動ボタン３０４は１時間単位で作業スケジュールの表示をスクロールするためのボタンである。担当前後移動ボタン３０３や時間前後移動ボタン３０４を使用することで、自身の作業スケジュールを確認できるだけでなく、前の担当者の作業状況や後の担当者の作業予定を確認することができる。
【００３３】
スケジュール表示エリア３０５は、病院や検査室のスケジュールを表示する。試薬作業表示エリア３０８は、試薬不足に伴う試薬追加などの試薬作業イベント３０９を表示する。キャリブレーション作業表示エリア３１０は、試薬追加やタイムアウトに伴うキャリブレーション測定などのキャリブレーション作業イベント３１１を表示する。精度管理作業表示エリア３１２は、試薬追加やタイムアウトに伴う精度管理測定などの精度管理作業イベント３１３を表示する。メンテナンス作業表示エリア３１４は、タイムアウトや部品交換に伴うメンテナンス実施などのメンテナンス作業イベント３１５を表示する。各作業イベントは作業の実施状況によりマークを変えることで視認性を良くすることが好ましい。
【００３４】
また、作業スケジュール画面３０１には、ログインユーザの担当時間枠３０６、および現在時刻線３０７を表示する。
【００３５】
以上の表示により、担当者が担当時間内で行うべき作業を容易に確認することができ、病院や検査室のスケジュールに対して、どのようなタイミングで作業が発生するか確認でき、効率的に作業できるか否か判断することができる。
【００３６】
なお、本画面に表示する作業イベントの種類としては画面例の通り、自動分析装置として性能保証上で最も重要な試薬、キャリブレーション、精度管理、メンテナンスに関わる作業とすることが最適であるが、使用するユーザの目的によってカスタマイズ可能であることが望ましい。図３の表示例では午後の検査中に試薬作業イベント３０９、キャリブレーション作業イベント３１１、精度管理作業イベント３１３等が発生することが予見でき、午前の検査が中断される恐れがあることを知ることができる。尚、メンテナンス作業イベント３１５は、破線の丸と実線の丸とを矢印で結んで表示することで、前担当者が作業を実施しなかったため、ログインユーザに繰り越しされた作業を表している。
【００３７】
作業詳細表示エリア３１６は、本画面上で選択された作業イベントの詳細内容を表示する。図３の例では試薬作業イベント３０９が選択されている状態である。図３では、試薬作業表示エリア３０８の試薬作業イベント３０９を太い輪で囲んでいるが、これが例えば選択された状態を示している。なお、実際の画面では、選択されたイベント等の○のマークの色を変えたりして、選択されていることを表示している。
【００３８】
作業詳細エリア３１６は、作業の実施ステータス、発生時刻、予約時刻、実施時刻、実施者および作業内容を表示する。また、上記のように発生時刻がスケジュール上、都合が悪い場合に予め都合がよい時刻に作業を予約する作業予約ボタン３１７を備える。また、作業実施画面遷移ボタン３１８を備えることで、作業を実施するための各作業実施画面へダイレクトに画面遷移し迅速に作業を行うことができる。このような作業スケジュール画面３０１をユーザが操作部ＰＣ１００にログインした際に自動的に表示することで、ユーザは担当時間内に行うべき作業を確認し、効率的な作業の計画を立てることができる。また、ユーザが操作部ＰＣ１００からログアウトする際に、作業スケジュール画面３０１を自動的に表示することで、ユーザは担当時間内に行うべき作業で忘れている物がないかどうかを確認することができる。
【００３９】
次に、図４を用いて、本実施形態による自動分析装置における業実施および予約後の作業スケジュール画面の一例について説明する。  
図４は、本発明の一実施形態による自動分析装置における業実施および予約後の作業スケジュール画面の一例の説明図である。
【００４０】
図３に示した表示例では、午後の検査中に試薬作業イベント、キャリブレーション作業イベント、精度管理作業イベント等が発生することが予見でき、午前の検査が中断される恐れがあることを知ることができた。
【００４１】
これに対してユーザは、試薬作業イベント４０２、キャリブレーション作業イベント４０４および４０５、精度管理作業イベント４０８および４０９、メンテナンス作業イベント４１１に関して午前の検査に先立ち各作業を実施した。その結果、試薬作業イベント４０１、キャリブレーション作業イベント４０３、精度管理作業イベント４０７、メンテナンス作業イベント４１１および作業詳細表示エリア４１３のように作業済の状態として表示する。また、もともとの発生時刻に表示された作業イベント４０２、４０４，４０５，４０８，４０９との関連が分かるよう結線や破線用い表示している。すなわち、破線の丸で示した作業（例えば、作業イベント４０２）が、黒丸の実施済みの作業（例えば、作業イベント４０１）として表示され、両者が破線矢印で結ばれる。
【００４２】
更に、午後の検査中に作業の発生が予見できるキャリブレーション作業イベント、精度管理作業イベント、メンテナンス作業イベントを午後の検査に先立って行えるよう、作業イベント４０６、４１０、４１２のように午後の検査前に作業の予約を行った。すなわち、破線の丸で示した作業が、ハッチングの丸（例えば、作業イベント４０６）として表示され、両者が破線矢印で結ばれる。特に作業イベント４１２のケースのように次担当者の担当時間の作業を前もって実施することは、次担当者が装置に不慣れな担当者である場合などを考慮して次担当者の作業負担を軽減するなどの効果も期待できる。
【００４３】
また、図３のスケジュール表示エリア３０５にユーザが任意のスケジュールを登録できるような機能を設けることで、装置上の作業イベントのみならず勤務における総合的なスケジュール管理が可能になる。以上のような表示および作業予約の機能により、作業の実施状況を容易に確認することができ、更には勤務スケジュールに合わせて効率的な作業の計画を立てることができる。
【００４４】
次に、図５を用いて、本実施形態による自動分析装置における作業スケジュール管理機能に関するデータの流れについて説明する。  
図５は、本発明の一実施形態による自動分析装置における作業スケジュール管理機能に関するデータの流れの説明図である。
【００４５】
勤務スケジュール入力処理５０３では、ネットワークで接続された上位システムＵＳＹから受信したり、または操作部ＰＣ１００の勤務スケジュール入力画面５０２から入力により勤務スケジュール情報５０４を作成する。
【００４６】
また、装置作業イベント管理処理５０５では、装置に登録されたパラメータ、試薬の情報および測定、メンテナンスの実績から発生が予測される試薬、キャリブレーション、精度管理、メンテナンスに関する作業イベント情報５０６を作成し、管理する。
【００４７】
作業スケジュール作成処理５０７では、勤務スケジュール情報５０４および装置作業イベント情報５０６を元に担当者毎の作業スケジュール情報５０８を作成する。作成された作業スケジュール情報５０８は、作業スケジュール画面５０９に表示される。また、作業スケジュール情報５０８は、ネットワークで接続された上位システムＵＳＹに送信される。
【００４８】
ユーザは作業スケジュール画面で作業を確認し、各作業実施画面５１０に画面遷移して各作業を実行する。実行した作業イベントは装置作業イベント管理処理５０５にフィードバックされ、作業イベント情報５０６が更新される。
【００４９】
ここで、図２に示した各部と、図５との対応関係について説明する。
【００５０】
図２の計画部１１２は、装置を使用する上で必要となる作業イベントを予め計画するものであり、図５の装置作業イベント管理処理５０５を行うものである。
【００５１】
図２のスケジュール作成部１１３は、勤務スケジュールと作業イベントから、ユーザが担当時間内に行うべき作業の一覧として時系列な作業スケジュール表を作成するものであり、図５の作業スケジュール作成処理５０７を行うものである。
【００５２】
図２の通知部１１４は、予約した時刻に到達するとユーザに作業を促すものであり、図９で後述する作業通知ダイアログ画面９０４にて通知する。
【００５３】
図２の予約部１１６は、作業スケジュール上の作業イベントに対してユーザが任意の実施予定時刻を設定するものであり、図３の作業予約ボタン３１７が押し下げされることで、作業者によって入力されたデータが設定される。
【００５４】
図２の判別部１１８は、装置上で行った作業を認識し、作業スケジュール表に表示された作業イベントが実施済か否かを自動的に判別するものであり、図５の装置作業イベント管理処理５０５を行うものである。
【００５５】
図２の入力部１２０は、装置を使用するユーザの勤務スケジュールを入力するものであり、前述したように、作業スケジュール表上に作業実施の有無を表示する表示部１３０とともに、ＧＵＩを構成する。
【００５６】
図２に示した記憶部１４０には、図５における勤務スケジュール情報５０４、作業イベント情報５０６、作業スケジュール情報５０８が記憶される。
【００５７】
次に、具体的な例を用いて、各部の動作について説明する。
【００５８】
スケジュール表作成部１１３は、勤務スケジュールと作業イベントから、ユーザが担当時間内に行うべき作業の一覧として時系列な作業スケジュール表を作成する。作成された作業スケジュール表は、例えば、図３の作業スケジュール画面３０１に表示される。例えば、ログインした担当者が、作業スケジュール画面３０１を見て、試薬作業イベント３０９を実行使用とすると、作業実施画面遷移ボタン３１８を押し下げる。それにより、表示部１３０の表示画面には、試薬追加作業のための手順が表示される。担当者は、この手順に従って、試薬追加の作業を進め、試薬追加が終了すると、表示部１３０に表示されている，例えば、「試薬追加終了」のボタンを押し下げると、スケジュール表作成部１１３は、当該作業が終了したと認識する。
【００５９】
一方、「試薬追加終了」のボタンの押下げが行われるまでは、スケジュール表作成部１１３は、当該作業が未実施であると認識する。作業の実施未実施等の判別は、図２の判別部１１８により行われる。
【００６０】
例えば、図３のメンテナンス作業表示エリア３１４に表されている前担当者が実施すべきメンテナンス作業が未実施のまま前担当者から現在の担当者の時間帯に移行するとき、スケジュール表作成部１１３は、未実施のメンテナンス作業を、当該担当者のメンテナンス作業イベント３１５として、図３の作業スケジュール画面３０１に表示する。
【００６１】
また、例えば、図４の試薬追加に関する作業イベント４０２を前倒しで行った場合、作業実施画面遷移ボタン３１８を押し下げて、表示部１３０の表示画面に表示された試薬追加作業のための手順に従って、試薬追加の作業を進め、試薬追加が終了すると、表示部１３０に表示されている「試薬追加終了」のボタンを押し下げる。これにより、図５の装置作業イベント管理処理５０５で、当該試薬追加作業が終了したとして、作業イベント情報５０６が更新される。スケジュール表作成部１１３は、作業スケジュール作成処理５０７により、作業イベント情報５０６を参照することで、当該作業が終了したと認識でき、図４の実施済みの作業イベント４０１として作業スケジュール画面３０１に表示される。
【００６２】
また、図４に示したキャリブレーション作業イベント４０６を、午後の検査に先立って行えるよう、午後の検査前に作業の予約を行う場合には、キャリブレーション作業イベント４０６を選択する。すると、その詳細は、図３の作業詳細表示エリア３１６のように表示される。その上で、担当者は、「予約時刻」の欄に例えば、「８：３０」と入力し、予約ボタン３１７を押し下げことで、図５の装置作業イベント管理処理５０５により、変更後の予約時間に作業イベント情報５０６が更新される。スケジュール表作成部１１３は、作業スケジュール作成処理５０７により、作業イベント情報５０６を参照することで、変更後の作業予定を、図４のキャリブレーション作業イベント４０６のように、作業スケジュール画面３０１に表示する。
【００６３】
次に、図６を用いて、本実施形態による自動分析装置における勤務スケジュール入力画面の一例について説明する。  
図６は、本発明の一実施形態による自動分析装置における勤務スケジュール入力画面の一例の説明図である。
【００６４】
勤務スケジュール入力画面６０１は、管理者レベルのユーザが日々の検査スケジュールおよび担当者の割り当てを登録する画面である。本画面は自動分析装置の操作部ＰＣ上またはネットワークで接続された上位システム上に実装される。大規模な病院や検査室の場合は使用する装置の数も多く、また担当者の数も多くなるため、上位システムに実装し統合管理することが効率的であり好ましい。
【００６５】
カレンダー６０２は、検査スケジュールおよび担当者を割り当てる日付を選択するために用いられる。選択した日付に対してスケジュール入力エリア６０３にて時刻を指定し予定を入力する。入力したスケジュールはスケジュール表示エリア６０５に表示される。
【００６６】
また、担当入力エリア６０４にて時刻を指定し、担当者を入力する。入力された担当者の割り当ては、担当割当て表示エリア６０６に表示される。
【００６７】
入力したスケジュールおよび担当者の割り当て情報は登録ボタン６０７を押下することによって保存される。尚、本画面が上位システムに実装される場合は、複数の装置が管理の対象となるため、装置を識別する情報を追加し、装置毎のスケジュール入力を行うような画面レイアウトとなる。
【００６８】
次に、図７を用いて、本実施形態による自動分析装置における作業スケジュール管理設定画面の一例について説明する。  
図７は、本発明の一実施形態による自動分析装置における作業スケジュール管理設定画面の一例の説明図である。
【００６９】
作業スケジュール管理設定画面７０１は、作業スケジュール管理機能における画面表示、作業通知、上位システムとの通信などの設定を行う画面である。
【００７０】
ログイン時作業スケジュール表示設定欄７０２は、ユーザが操作部ＰＣ上でシステムにログインした際にログインユーザの作業スケジュール画面を自動的に表示するか否かの設定を行うために用いられる。
【００７１】
同様に、ログアウト時作業スケジュール表示設定欄７０３は、ユーザがシステムからログアウトする際にログインユーザの作業スケジュール画面を自動的に表示するか否かの設定を行うために用いられる。
【００７２】
このような作業スケジュール画面の表示機能を設けることによりユーザはシステムにログインする際に自身が担当時間内に行わなければならない作業のスケジュールを確認することができ、効率的な作業計画を立てることができる。また、システムからログアウトする際に作業漏れが無いことを確認することができる。
【００７３】
作業通知設定欄７０４は、各作業イベントの発生時刻またはユーザが予約している場合は予約時刻に到達した時点でユーザに作業を促すための通知表示を行うか否かの設定を行うために用いられる。作業通知時間設定欄７０５は、作業通知を前もって行う時間の設定である。
【００７４】
集約作業通知設定欄７０６および集約作業通知時間設定欄７０７はある作業イベントが作業時刻に到達した際に、その時刻を起点にした規定時間内に作業時刻に到達する作業を纏めて実施するよう推奨するための通知表示を行うか否かの設定を行うために用いられる。
【００７５】
担当時間終了前作業通知設定欄７０８および担当時間終了前作業通知時間設定欄７０９は、担当時間終了の規定時間前に残作業を通知する設定のために用いられる。このような作業の通知機能を設けることによりユーザに作業を促すことで作業漏れを防止することができる。
【００７６】
作業通知設定欄７０４、作業通知時間設定欄７０５、集約作業通知設定欄７０６、集約作業通知時間設定欄７０７、担当時間終了前作業通知設定欄、担当時間終了前作業通知時間設定欄７０９にて設定された時間は、図２に示した通知部１１４によって管理される。通知部１１４は、予約した時刻に到達すると、図９で後述する作業通知ダイアログ画面９０４にてユーザに作業を促すために、通知する。
【００７７】
勤務スケジュール上位システム受信設定欄７１０は、作業スケジュール情報を作成するために必要となる勤務スケジュール情報をネットワークで接続された上位システムから受信するか否かを設定する。また、作業スケジュール上位システム送信設定欄７１１は作成した作業スケジュール情報を上位システムに送信するか否かを設定する。
【００７８】
このような上位システムとの通信機能を設けることにより、上位システムと自動分析装置間の情報共有を行うことを可能とし、大規模な病院や検査施設の複数の装置や複数のユーザを上位システムにて効率的に統合管理することができる。
【００７９】
本画面で入力された情報は設定ボタン７１２を押下することによって保存される。
【００８０】
次に、図８を用いて、本実施形態による自動分析装置における作業スケジュール作成および管理処理の内容について説明する。  
図８は、本発明の一実施形態による自動分析装置における作業スケジュール作成および管理処理の内容を示すフローチャートである。
【００８１】
ステップ８０１にて、上位システムからの勤務スケジュール受信設定があるか判定する。設定ありの場合はステップ８０２にてネットワークで接続された上位システムから勤務スケジュール情報を受信する。
【００８２】
ステップ８０３にて、勤務スケジュール情報を読込む。尚、ステップ８０１にて設定なしの場合は操作部ＰＣ上の勤務スケジュール入力画面で登録された勤務スケジュール情報を読込むこととなる。
【００８３】
次に、ステップ８０４にて、装置に登録されたパラメータ、試薬の情報および測定、メンテナンスの実績から発生が予測される試薬、キャリブレーション、精度管理、メンテナンスに関する装置作業イベント情報を読込む。
【００８４】
ステップ８０５では、ステップ８０３で読込んだ勤務スケジュール情報をベースにステップ８０４で読込んだ装置作業イベント情報を組込み、担当者毎の作業スケジュールを作成する。ここまでが作業スケジュールを作成する処理となる。
【００８５】
これ以降は作業スケジュールを管理する処理となる。まず、ステップ８０６にて、通知時刻に到達した作業イベントがあるか判定する。ある場合はステップ８０７にて、規定時間内に通知時刻に到達する作業イベントがあるか判定する。ある場合はステップ８０８にて該当する作業を纏めて実施するようユーザに通知する。ない場合はステップ８０９にて個別に作業を実施するようユーザに通知する。
【００８６】
作業を纏めて実施する方が適当な場合とは次のような場合である。例えば、試薬追加作業についてみると、試薬追加の時期は、それぞれの試薬の残量で決まるため、それぞれ異なる時期となる。但し、例えば、第１の試薬追加の作業イベントの１０分後に、第２の試薬追加の作業イベントが発生するようにスケジュールされている場合には、第１の試薬追加に続いて、第２に試薬追加を行う方が、試薬追加の手間が省ける。このような場合に、作業をまとめて実施するのが適当と判断される。
【００８７】
また、キャリブレーションは、試薬の劣化を考えて、一定時間毎に行われるのが一般的である。一方、精度管理は所定の検体数の測定が行われるたびに行われるのが一般的である。仮に、所定の試薬に対するキャリブレーションと精度管理が少し離れたタイミングでスケジュールされている場合は、これは、順次行った方が効率的である。のような場合に、作業をまとめて実施するのが適当と判断される。
【００８８】
次に、ステップ８１０にて担当時間終了の設定時間前か判定する。該当する場合はステップ８１１にて担当時間内の未実施の作業イベントを残作業として作業を実施するようユーザに通知する。
【００８９】
次に、ステップ８１２にて担当時間内に実施できなかった作業があるか判定する。ある場合にはステップ８１３にて残作業を次の担当者の作業スケジュールに繰り越す。
【００９０】
最後にステップ８１４にて上位システムへの作業スケジュール送信設定があるか判定し、ある場合にはステップ８１５にて上位システムへ作業スケジュール情報を送信する。
【００９１】
次に、図９を用いて、本実施形態による自動分析装置における作業通知ダイアログ画面の一例について説明する。  
図９は、本発明の一実施形態による自動分析装置における作業通知ダイアログ画面の一例の説明図である。
【００９２】
作業の実施時刻に到達するとユーザに作業の実施を促すため、本ダイアログ画面９０１を表示する。図８はユーザが患者試料測定結果画面９０１を使用している最中に作業通知ダイアログ画面９０４が表示されたケースである。
【００９３】
作業通知ダイアログ画面９０１は、作業詳細表示エリア９０５に実施を促す作業の内容を表示する。尚、複数の作業がある場合はリスト形式で表示される。各作業毎に表示された作業実施画面遷移ボタン９０６は押下することで該当の作業を実施するための各作業実施画面へダイレクトに画面遷移し、迅速に作業を行うことができる。
【００９４】
作業スケジュール画面遷移ボタン９０７は押下することで作業スケジュール画面に遷移し、作業スケジュールを確認することができる。
【００９５】
閉じるボタン９０８を押下することで本作業通知ダイアログ画面を閉じる。
【００９６】
このような作業通知機能を設けることによって、ユーザは別な作業をしていても予定の時刻に作業が通知され作業漏れを防止することができる。
【００９７】
作業スケジュール画面遷移ボタン９０３は、作業スケジュール画面を表示するためのボタンである。本ボタンはどの画面からでも作業スケジュール画面が表示できるよう各画面の表示に依存しないグローバルな非画面依存表示領域９０２に配置されることが好ましい。
【００９８】
以上説明したように、本実施形態によれば、事前にユーザの勤務スケジュールを入力しておくことによって、ユーザが装置の操作部にログインした際に、担当時間内に行うべき作業の一覧を時系列な作業スケジュール表として表示することで、ユーザは業務開始時に作業を確認することができ、勤務スケジュール合わせて効率的な作業の計画を立てることができる。
【００９９】
また、作業の予定時刻や未実施の作業を自動的にユーザに通知し、作業を促す機能や、未実施の作業を次の担当者の作業スケジュールに繰り越す機能によって、作業漏れを防止することができる。また、前後の担当者の作業スケジュールを照会することによって、作業の実施状況の確認や、不慣れな担当者の作業を前もって実施することも可能となる。
【０１００】
更に、ネットワークで接続された複数の装置を統合管理する上位システムからユーザの勤務スケジュールに関する情報を受信し、作成した作業スケジュールに関する情報を上位システムに送信する通信機能を備えることによって、上位システム上で複数の装置に跨ってユーザが担当時間内に行うべき作業スケジュールを統合管理することができ、ユーザの負担を軽減するとともに大規模な検査施設での作業スケジュールの管理を効率的に行うことができる。
【符号の説明】
【０１０１】
１００…操作部ＰＣ
１１０…制御部
１２０…入力部
１３０…表示部
１４０…記憶部
１１２…計画部
１１３…スケジュール作成部
１１４…通知部
１１６…予約部
１１８…判別部
ＡＡ…分析部
ＨＢ…ハブ
ＲＥＤ…試薬ディスク
ＲＥＧ…試薬
ＲＳＹ…リモートシステム
ＳＡＩ…試料投入部
ＳＡＯ…試料収納部
ＳＭＬ…試料ラック
ＳＭＰ…試料
ＴＲＬ…搬送ライン
ＵＳＲ…ユーザ
ＵＳＹ…上位ホストシステム
３０１…作業スケジュール画面
３０２…ログインユーザ
３０３…担当前後移動ボタン
３０４…時間前後移動ボタン
３０５…スケジュール表示エリア
３０６…担当時間枠
３０７…現在時刻線
３０８…試薬作業表示エリア
３０９…試薬作業イベント
３１０…キャリブレーション作業表示エリア
３１１…キャリブレーション作業イベント
３１２…精度管理作業表示エリア
３１３…精度管理作業イベント
３１４…メンテナンス作業表示エリア
３１５…メンテナンス作業イベント
３１６…作業詳細表示エリア
３１７…作業予約ボタン
３１８…作業実施画面遷移ボタン
４０１，４０２…試薬作業イベント
４０３〜４０６…キャリブレーション作業イベント
４０７〜４１０…精度管理作業イベント
４１１，４１２…メンテナンス作業イベント
４１３…作業詳細表示エリア
５０２…勤務スケジュール入力画面
５０３…勤務スケジュール入力処理
５０４…勤務スケジュール情報
５０５…装置作業イベント管理処理
５０６…装置作業イベント情報
５０７…作業スケジュール作成処理
５０８…作業スケジュール情報
５０９…作業スケジュール画面
５１０…各作業実施画面
６０１…勤務スケジュール入力画面
６０２…カレンダー
６０３…スケジュール入力エリア
６０４…担当入力エリア
６０５…スケジュール表示エリア
６０６…担当割当て表示エリア
６０７…登録ボタン
７０１…作業スケジュール管理設定画面
７０２…ログイン時作業スケジュール表示設定
７０３…ログアウト時作業スケジュール表示設定
７０４…作業通知設定
７０５…作業通知時間設定
７０６…集約作業通知設定
７０７…集約作業通知時間設定
７０８…担当時間終了前作業通知設定
７０９…担当時間終了前作業通知時間設定
７１０…勤務スケジュール上位システム受信設定
７１１…作業スケジュール上位システム送信設定
７１２…設定ボタン
８０１〜８１５…フローチャートステップ
９０１…患者試料測定結果画面
９０２…非画面依存表示領域
９０３…作業スケジュール画面遷移ボタン
９０４…作業通知ダイアログ画面
９０５…作業詳細表示エリア
９０６…作業実施画面遷移ボタン
９０７…作業スケジュール画面遷移ボタン
９０８…閉じるボタン
【図１】
2014085270.tif 000003
【図２】
2014085270.tif 000004
【図３】
2014085270.tif 000005
【図４】
2014085270.tif 000006
【図５】
2014085270.tif 000007
【図６】
2014085270.tif 000008
【図７】
2014085270.tif 000009
【図８】
2014085270.tif 000010
【図９】
2014085270.tif 000011